(57)【要約】【課題】主回路に流れる小電流を短時間で遮断でき、電流遮断性能を的確に向上できる転流式遮断装置を得る。【解決手段】電源と負荷とを接続する主回路に介挿された主真空スイッチ１と、主真空スイッチ１に電気的に並列に接続され、かつ、電気的直列に接続されたコンデンサ２、リアクトル３および転流スイッチ４で構成する転流回路５を備えた転流式遮断装置において、主回路の開路時に、主真空スイッチ１と転流スイッチ４とを所定の作動タイミングで連動させる操作制御装置９を設け、操作制御装置９による主真空スイッチ１と転流スイッチ４との作動タイミングを主回路電流値に応じて変動させる。【選択図】図１
2005078950.tif 000002
【特許請求の範囲】
【請求項１】
電源と負荷とを接続する主回路に介挿された真空スイッチと、前記真空スイッチに電気的に並列に接続され、かつ、電気的直列に接続されたコンデンサ、リアクトルおよび転流スイッチで構成する転流回路を備えた転流式遮断装置において、主回路の開路時に、前記真空スイッチと前記転流スイッチとを所定の作動タイミングで連動させる操作制御装置を設け、前記操作制御装置による前記真空スイッチと前記転流スイッチとの作動タイミングを主回路電流値に応じて変動させるようにしたことを特徴とする転流式遮断装置。
【請求項２】
電源と負荷とを接続する主回路に介挿された真空スイッチと、前記真空スイッチに電気的に並列に接続され、かつ、電気的直列に接続されたコンデンサ、リアクトルおよび転流スイッチで構成する転流回路を備えた転流式遮断装置において、主回路の開路時に、前記真空スイッチと前記転流スイッチとを所定の作動タイミングで連動させる操作制御装置を設け、前記操作制御装置による前記真空スイッチと前記転流スイッチとの作動タイミングを主回路電流値に応じて選択される複数の設定タイミングのいずれかによって連動させるようにしたことを特徴とする転流式遮断装置。
【請求項３】
主回路の小電流開路動作においては、前記転流スイッチを閉路した後、前記真空スイッチを開路するよう前記操作制御装置による前記真空スイッチと前記転流スイッチとの作動タイミングを設定したことを特徴とする請求項１または請求項２に記載の転流式遮断装置。
【請求項４】
電源と負荷とを接続する主回路に介挿された第１の真空スイッチと、前記第１の真空スイッチに電気的に並列に接続され、かつ、電気的直列に接続されたコンデンサ、リアクトルおよび転流スイッチで構成する転流回路と、前記転流回路と負荷との間に介挿された第２の真空スイッチとを備えた転流式遮断装置において、主回路の開路時に、前記第１の真空スイッチと前記転流スイッチとを所定の作動タイミングで連動させる操作制御装置を設け、前記操作制御装置による前記第１の真空スイッチと前記転流スイッチとの作動タイミングを主回路電流値に応じて変動させるとともに、前記第２の真空スイッチを前記転流回路の電流が負荷に流れ始めた時点後に開路するようにしたことを特徴とする転流式遮断装置。
【請求項５】
電源と負荷とを接続する主回路に介挿された第１の真空スイッチと、前記第１の真空スイッチに電気的に並列に接続され、かつ、電気的直列に接続されたコンデンサ、リアクトルおよび転流スイッチで構成する転流回路と、前記転流回路と負荷との間に介挿された第２の真空スイッチとを備えた転流式遮断装置において、主回路の開路時に、前記第１の真空スイッチと前記転流スイッチとを所定の作動タイミングで連動させる操作制御装置を設け、前記操作制御装置による前記真空スイッチと前記転流スイッチとの作動タイミングを主回路電流値に応じて変動させるとともに、前記第２の真空スイッチを前記第１の真空スイッチの閉路時に前記第１の真空スイッチによって主回路電流が側路されるように前記転流回路と前記第１の真空スイッチとの間に接続し、前記第２の真空スイッチを前記転流回路の電流が負荷に流れ始めた時点後に開路するようにしたことを特徴とする転流式遮断装置。
【請求項６】
主回路の電流がない状態である無負荷開路動作においては、前記転流スイッチを閉路せずに、その結果として前記転流回路のコンデンサを放電せず、前記真空スイッチを開路するよう前記操作制御装置による作動タイミングを設定したことを特徴とする請求項１から請求項５までのいずれかに記載の転流式遮断装置。
【請求項７】
電源と負荷とを接続する主回路に介挿された真空スイッチと、前記真空スイッチに電気的に並列に接続され、かつ、電気的直列に接続されたコンデンサ、リアクトルおよび転流スイッチで構成する転流回路を備えた転流式遮断装置において、主回路の開路時に、前記真空スイッチと前記転流スイッチとを所定の作動タイミングで連動させる操作制御装置を設け、前記操作制御装置により前記真空スイッチの電流零点直前に前記真空スイッチを開路するようにしたことを特徴とする請求項１から請求項６までのいずれかに記載の転流式遮断装置。
【発明の詳細な説明】
【技術分野】
【０００１】
この発明は、真空スイッチからなる遮断器とそれに並列に接続される転流回路とを備えた転流式遮断装置に関する。
【背景技術】
【０００２】
従来技術による直流回路の転流式遮断装置は、この発明による実施の形態における回路構成を示す図１と同様の回路構成を備えている。
図１において、主接点としての主真空スイッチ１が設けられ、この主真空スイッチ１に電気的に並列接続され、それぞれが電気的に直列接続された転流コンデンサ２、転流リアクトル３、転流スイッチ４により転流回路５が構成される。非線形抵抗器６は、主真空スイッチ１および転流回路５に電気的に並列接続される。第２の真空スイッチ７は、主真空スイッチ１および第２の真空スイッチ７は直流電源１０と負荷１１とを接続する主回路に電気的直列に接続される。主回路の線路電流を検出する電流検出器８が設けられ、操作制御装置９は電流検出器８が検出した電流が所定の大きさに到達したときに、主真空スイッチ１、第２の真空スイッチ７および転流スイッチ４に動作指令を与える。
【０００３】
従来の転流式遮断装置は上記のように構成されており、通常の負荷運転時には、直流電源１０から、主真空スイッチ１および第２の真空スイッチ７を介し、負荷１１に給電される。主回路における小電流遮断時の動作は、次のように行われる（例えば、特許文献１参照）。
操作制御装置９の指令により、まず、主真空スイッチ１が開路される。第２の真空スイッチ７は、主真空スイッチ１の開路とほぼ同時、または、その後に開路される。転流スイッチ４は、第２の真空スイッチ７の開路から所定時間後に閉路され、それにより、主真空スイッチ１に主回路の電流とは逆方向の放電電流が転流コンデンサ２から流れ始める。その後、主真空スイッチ１の電流が零となり、消弧され、転流回路５の電流が負荷側に流れ始める。転流コンデンサ２の電圧が直流電源１０の電圧に達し、主回路電流の遮断が完了する。
【０００４】
主回路の電流がない状態である無負荷開路動作においては、第２の真空スイッチ７は、開路動作開始と同時にその絶縁が回復し、転流回路５と負荷１１との間を断路し、上記の放電電流が負荷側へ流出するのを防止する。
【０００５】
【特許文献１】特開平５−２３４４７１号公報
【発明の開示】
【発明が解決しようとする課題】
【０００６】
上記のような従来の転流式遮断装置では、主回路に電流が流れている場合には、第２の真空スイッチ７を開路しても、電流アークで主回路の電流が継続し転流回路５の放電電流が負荷側へ流出する。特に、主回路に流れる数十Ａ程度の小電流を遮断する際は、主真空スイッチ１が僅かな転流回路の放電電流で電流零に達し、消弧・断路するため、転流コンデンサ２の残留電圧が大きい。
そのため、負荷の回路条件によっては転流回路５の放電電流が第２の真空スイッチ７を介して負荷側に数百ミリ秒以上流れ続け、電流遮断が困難となる場合がある。また、この際、第２の真空スイッチ７には電流アークが継続するため、その接点の消耗劣化が進行し動作寿命が短くなるという問題点があった。
【０００７】
さらに、負荷１１のインピーダンスが小さい場合には、転流回路５の放電電流が大きくなり、負荷機器の過大な電流流入による劣化や主回路に接続された後備過電流保護装置（図示せず）が不要動作する恐れがあるという問題点があった。
【０００８】
この発明は、かかる問題点を解決するためになされたものであり、電流遮断性能を的確に向上できる転流式遮断装置を得ることを目的とするものである。
【課題を解決するための手段】
【０００９】
この発明に係る転流式遮断装置は、主回路の開路時に、前記真空スイッチと前記転流スイッチとを所定の作動タイミングで連動させる操作制御装置を設け、前記操作制御装置による前記真空スイッチと前記転流スイッチとの作動タイミングを主回路電流値に応じて変動させるようにしたものである。
【発明の効果】
【００１０】
この発明によれば、電流遮断性能を的確に向上できる転流式遮断装置を得ることができる。
【発明を実施するための最良の形態】
【００１１】
実施の形態１．
この発明による実施の形態１を図１から図３までについて説明する。図１は実施の形態１における転流式遮断装置の構成を示す回路図である。図２は実施の形態１における転流式遮断装置の小電流遮断時での動作タイミングと要部の電流、電圧波形を示す時間チャート図である。図３は実施の形態１における転流式遮断装置での遮断電流の大きさとスイッチの動作タイミングとの関係を示す線図である。
【００１２】
図１において、主接点としての主真空スイッチ１が設けられ、この主真空スイッチ１に電気的に並列接続され、それぞれが電気的に直列接続された転流コンデンサ２、転流リアクトル３、転流スイッチ４により転流回路５が構成される。非線形抵抗器６は、主真空スイッチ１および転流回路５に電気的に並列接続される。第２の真空スイッチ７は、直流電源１０と負荷１１とを接続し主真空スイッチ１を介挿する主回路に電気的直列に接続される。
主回路の線路電流を検出する電流検出器８が設けられ、操作制御装置９は電流検出器８が検出した電流が所定の大きさに到達したときに、主真空スイッチ１、第２の真空スイッチ７および転流スイッチ４に動作指令を与える。
【００１３】
通常の負荷運転時には、直流電源１０から、主真空スイッチ１および第２の真空スイッチ７を介し、負荷１１に給電される。
【００１４】
主回路の小電流遮断時の動作を図２に基づいて説明する。
（ａ）は、操作制御装置９の指令により転流スイッチ４を閉路させた時点であり、主真空スイッチ１が閉路した状態であるため、転流コンデンサ２からの放電電流は、主真空スイッチ１と転流回路５で構成される閉回路に流れ始める。（ｂ）は、主真空スイッチ１を開路した時点であり、その接点間に電流アークが発生する。（ｃ）は、主真空スイッチ１の電流が零となり、消弧した時点であり、転流回路５の電流が負荷側に流れ始める。（ｄ）は、その後に第２の真空スイッチ７を開路した時点であり、その接点間に電流アークが発生する。（ｅ）は、転流コンデンサ２の電圧が直流電源１０の電圧に達し、主回路電流の遮断が完了した時点である。
【００１５】
図３は、主真空スイッチ１の開路と転流スイッチ４の閉路との時間差である転流スイッチの先行放電時間と主回路の遮断電流値との関係図である。
電流検出器８により検出された主回路の電流と操作制御装置９に予め設定された図３に示す関係により、各々のスイッチのタイミングが制御される。主回路電流を遮断するには、主真空スイッチ１に電流零を生じさせるため、主回路の電流を上回る転流回路５の電流が必要であり、主回路の電流値に応じて可変する複数の時間タイミングを操作制御装置９に設定する。例えば、主回路の電流が小さい時は、転流コンデンサ２から放電する電流は、主回路電流に比べ充分に大きいため、前記の先行放電時間を長くすることで、転流コンデンサ２の電荷を多く消費させ、（ｂ）時点での転流回路５の電流を最適な値まで低減させる。主回路の電流が大きくなるに従い、遮断に必要な転流回路５の電流も大きくなるため、先行放電時間を短く設定する。さらに、短絡事故等の過大な電流に対しては、転流回路５の放電電流最大が必要となるため、従来の技術と同様に転流スイッチ４を閉路する前に主真空バルブ１を開路する。
【００１６】
前記のように構成した転流式遮断装置においては、転流コンデンサ２の放電が主真空スイッチ１の開路に先行し転流コンデンサ２の電荷が消費されるため、転流回路５の電流が負荷側に流れ始める（ｃ）時点で、転流コンデンサ２の電圧が適当なレベルまで低下しており、第２の真空スイッチ７を介して負荷側に流れる電流が小さくなり、かつ主回路電流の遮断が完了する時間〔（ｃ）時点から（ｅ）時点まで〕が短くなる。
さらに、第２の真空スイッチ７を転流回路５の電流が負荷側に流れ始めた〔（ｃ）時点〕後に開路するため、その接点間に発生する電流アークの継続時間が短く、消耗劣化が生じにくい。
【００１７】
以上から明らかなように、主回路の開路時に、主真空スイッチ１と転流スイッチ４とを、主回路電流値に応じて可変する複数の時間タイミングにて連動させる操作制御装置９を備え、主回路の小電流開路においては、転流スイッチ４を閉路した後、主真空スイッチ１を開路する時間タイミングを最適に設定することにより、主回路の電流遮断後に負荷側に流れる電流値を低減し、かつ、その継続時間を短くすることができる。このため、主回路および負荷機器への電流流入が軽減され、電流遮断が短時間で完了することで転流式遮断装置を備えた回路の信頼性が向上する。加えて、第２の真空スイッチ７に発生する電流アークの大きさと継続時間を短くすることができる。このため、第２の真空スイッチ７の接点消耗劣化が少なくなり動作回数寿命を長くすることができる。
【００１８】
この発明による実施の形態１によれば、電源１０と負荷１１とを接続する主回路に介挿された主真空スイッチ１と、前記主真空スイッチ１に電気的に並列に接続され、かつ、電気的直列に接続されたコンデンサ２、リアクトル３および転流スイッチ４で構成する転流回路５を備えた転流式遮断装置において、主回路の開路時に、前記主真空スイッチ１と前記転流スイッチ４とを所定の作動タイミングで連動させる操作制御装置９を設け、前記操作制御装置９による前記主真空スイッチ１と前記転流スイッチ４との作動タイミングを主回路電流値に応じて選択される複数の設定タイミングのいずれかによって連動させるようにしたので、主回路に流れる小電流を短時間で遮断でき、電流遮断性能を的確に向上できる転流式遮断装置を得ることができる。
【００１９】
また、この発明による実施の形態１によれば、前項の構成において、主回路の小電流開路動作においては、前記転流スイッチ４を閉路した後、前記主真空スイッチ１を開路するよう前記操作制御装置による前記主真空スイッチ１と前記転流スイッチ４との作動タイミングを設定したので、主回路に流れる小電流を短時間で遮断でき、電流遮断性能を的確に向上できるとともに、主回路の電流遮断後に負荷側に流入する電流値を低減し、かつ、その継続時間を短くできる転流式遮断装置を得ることができる。
【００２０】
さらに、この発明による実施の形態１によれば、前項または前々項の構成において、電源１０と負荷１１とを接続する主回路に介挿された主真空スイッチ１からなる第１の真空スイッチと、前記主真空スイッチ１からなる第１の真空スイッチに電気的に並列に接続され、かつ、電気的直列に接続されたコンデンサ２、リアクトル３および転流スイッチ４で構成する転流回路５と、前記転流回路５と負荷１１との間に介挿された真空スイッチ７からなる第２の真空スイッチとを備えた転流式遮断装置において、主回路の開路時に、前記主真空スイッチ１からなる第１の真空スイッチと前記転流スイッチ４とを所定の作動タイミングで連動させる操作制御装置９を設け、前記操作制御装置９による前記主真空スイッチ１からなる第１の真空スイッチと前記転流スイッチ４との作動タイミングを主回路電流値に応じて変動させるとともに、前記真空スイッチ７からなる第２の真空スイッチを前記転流回路５の電流が負荷に流れ始めた時点後に開路するようにしたので、主回路に流れる小電流を短時間で遮断でき、電流遮断性能を的確に向上できるとともに、主回路電流遮断後の負荷への電流流入を確実に抑制できる転流式遮断装置を得ることができる。
【００２１】
実施の形態２．
この発明による実施の形態２を図４について説明する。図４は実施の形態２における転流式遮断装置の構成を示す回路図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００２２】
図４は、この発明による実施の形態２に係る転流式遮断装置の回路図であり、この実施例２では、第２の真空スイッチ７’を、転流回路５と主真空スイッチ１との並列回路上で、それらの接続部から転流回路側に、すなわち転流回路５と主真空スイッチ１との間に電気的に直列接続で構成したものである。
【００２３】
この実施の形態２では、通常、主回路の電流は、第２の真空スイッチ７’を介さずに主真空スイッチ１のみを介し通電される。従って通電部の接点数が半減するため電気抵抗が低く、通電発熱が生じにくい。
このため、通電に伴う装置の温度上昇を抑制することができ、主回路を流れる電流値を大きくとることができる。
【００２４】
この発明による実施の形態２によれば、電源１０と負荷１１とを接続する主回路に介挿された主真空スイッチ１からなる第１の真空スイッチと、前記主真空スイッチ１からなる第１の真空スイッチに電気的に並列に接続され、かつ、電気的直列に接続されたコンデンサ２、リアクトル３および転流スイッチ４で構成する転流回路５と、前記転流回路５と負荷１１との間に介挿された真空スイッチ７’からなる第２の真空スイッチとを備えた転流式遮断装置において、主回路の開路時に、前記主真空スイッチ１からなる第１の真空スイッチと前記転流スイッチ４とを所定の作動タイミングで連動させる操作制御装置９を設け、前記操作制御装置９による前記主真空スイッチ１からなる第１の真空スイッチと前記転流スイッチ４との作動タイミングを主回路電流値に応じて変動させるとともに、前記真空スイッチ７’からなる第２の真空スイッチを前記主真空スイッチ１からなる第１の真空スイッチの閉路時に前記主真空スイッチ１からなる第１の真空スイッチによって主回路電流が側路されるように前記転流回路４と前記主真空スイッチ１からなる第１の真空スイッチとの間に接続し、前記真空スイッチ７’からなる第２の真空スイッチを前記転流回路４の電流が負荷に流れ始めた時点後に開路するようにしたので、主回路に流れる小電流を短時間で遮断でき、電流遮断性能を的確に向上できるとともに、主回路電流遮断後の負荷への電流流入を抑制するために設けられた第２の真空スイッチにおける通電発熱を回避できる転流式遮断装置を得ることができる。
【００２５】
実施の形態３．
この発明による実施の形態３を図５について説明する。図５は実施の形態３における転流スイッチの先行放電時間と主回路の遮断電流値との関係を示す線図である。
この実施の形態３において、ここで説明する特有の構成以外の構成については、先に説明した実施の形態１における構成と同一の構成内容を具備し、同様の作用を奏するものである。図中、同一符号は同一または相当部分を示す。
【００２６】
図５は、この発明による実施の形態３に係る転流式遮断装置における、前記転流スイッチの先行放電時間と主回路の遮断電流値との関係図である。構成要素は上記実施の形態１の装置と同一のものである。
主回路の電流がない場合には、電流検出器８によりそれを検知し、転流スイッチ４を閉路せずに、その結果として転流回路のコンデンサ２を放電せず、主真空スイッチ１を開路するよう設定された操作制御装置９を備える。
なお、主回路の電流がない条件を判別するのは、電流検出器８によらず外部からの信号、またはその両方によってもよい。
【００２７】
この実施の形態３では、転流回路５からの主回路および負荷機器への電流流入がなく、転流式遮断装置を備えた回路の信頼性が向上する。また、各スイッチに電流アークが発生しないため、接点消耗劣化がなく、加えて、転流コンデンサ２も放電動作しないため、転流式遮断装置の動作回数寿命を長くすることができる。
【００２８】
この発明による実施の形態３によれば、実施の形態１または実施の形態２における構成において、主回路の電流がない状態である無負荷開路動作においては、前記転流スイッチ４を閉路せずに、その結果として前記転流回路５のコンデンサ２を放電せず、前記主真空スイッチ１を開路するよう前記操作制御装置９による作動タイミングを設定したので、主回路に流れる小電流を短時間で遮断でき、電流遮断性能を的確に向上できるとともに、無負荷開路時における無用な動作を回避し寿命を長くできる転流式遮断装置を得ることができる。
【００２９】
実施の形態４．
この発明による実施の形態４を図６について説明する。図６は実施の形態４における転流スイッチの先行放電時間と主回路の遮断電流値との関係を示す線図である。
この実施の形態４において、ここで説明する特有の構成以外の構成については、先に説明した実施の形態１における構成と同一の構成内容を具備し、同様の作用を奏するものである。図中、同一符号は同一または相当部分を示す。
【００３０】
図６は、この発明による実施の形態４に係る転流式遮断装置における、前記の転流スイッチの先行放電時間と主回路の遮断電流値との関係図である。構成要素は上記実施の形態１の装置と同一のものである。
【００３１】
この実施の形態４では、主回路の電流値に応じて前記の転流スイッチの先行放電時間が１次関数的に減少するよう操作制御装置９を設定しており、上記実施の形態１と同様の効果が期待できる。
【００３２】
この発明による実施の形態４によれば、電源１０と負荷１１とを接続する主回路に介挿された主真空スイッチ１と、前記主真空スイッチ１に電気的に並列に接続され、かつ、電気的直列に接続されたコンデンサ２、リアクトル３および転流スイッチ４で構成する転流回路５を備えた転流式遮断装置において、主回路の開路時に、前記真空スイッチ１と前記転流スイッチ４とを所定の作動タイミングで連動させる操作制御装置９を設け、前記操作制御装置９による前記真空スイッチ１と前記転流スイッチ４との作動タイミングを主回路電流値に応じて１次関数的に変動させるようにしたので、主回路に流れる小電流を短時間で遮断でき、電流遮断性能を的確に向上できる転流式遮断装置を得ることができる。
【００３３】
実施の形態５．
この発明による実施の形態５を図７について説明する。図７は実施の形態５における転流式遮断装置の小電流遮断時における要部の電流、電圧波形を示す線図である。
この実施の形態５において、ここで説明する特有の構成以外の構成については、先に説明した実施の形態１から実施の形態４までのいずれかにおける構成と同一の構成内容を具備し、同様の作用を奏するものである。図中、同一符号は同一または相当部分を示す。
【００３４】
図７は、この発明による実施の形態５に係る転流式遮断装置の小電流遮断時における要部の電流、電圧波形で、操作制御装置９の指令により転流スイッチ４が閉路、主真空スイッチ１が閉路で、転流回路５の放電電流が、主真空スイッチ１と転流回路５で構成される閉回路に流れている状態を示している。この放電電流の振動周期は、転流コンデンサ２と転流リアクトル３の回路定数によりほぼ一義的に決定される。小電流遮断時において、上記実施例１の転流スイッチの先行放電時間を、転流スイッチ４の閉路から主真空スイッチ１の電流零点（図７中のＴ１、Ｔ２〜Ｔ６の何れか）の直前までとするよう、主真空スイッチ１の開路タイミングを操作制御装置９に設定する。
【００３５】
この実施の形態５では、主真空スイッチ１の電流零点直前に主真空スイッチ１を開路するため、電流アークの継続時間が短くその電流値が小さいため、主真空スイッチ１の接点消耗劣化が少なく、転流式遮断装置の動作回数寿命を長くすることができる。
【００３６】
この発明による実施の形態５によれば、実施の形態１から実施の形態４までにおけるいずれかの構成において、電源１０と負荷１１とを接続する主回路に介挿された主真空スイッチ１と、前記主真空スイッチ１に電気的に並列に接続され、かつ、電気的直列に接続されたコンデンサ２、リアクトル３および転流スイッチ４で構成する転流回路５を備えた転流式遮断装置において、主回路の開路時に、前記真空スイッチ１と前記転流スイッチ４とを所定の作動タイミングで連動させる操作制御装置９を設け、前記操作制御装置９により前記真空スイッチ１の電流零点直前に前記真空スイッチ１を開路するようにしたので、主回路に流れる小電流を短時間で遮断でき、電流遮断性能を的確に向上できるとともに、寿命を長くできる転流式遮断装置を得ることができる。
【００３７】
この発明による実施の形態は、上記のように構成されているので、以下に記載されるような効果を奏するものである。
この発明による実施の形態に係る転流式遮断装置は、主回路の開路時に、主真空スイッチと転流スイッチとを、主回路電流値に応じて可変する複数の時間タイミングにて連動させる操作制御装置を備えたので、主回路および負荷機器への電流流入が軽減され、電流遮断が短時間で完了することで転流式遮断装置を備えた回路の信頼性が向上する。
【図面の簡単な説明】
【００３８】
【図１】この発明による実施の形態１における転流式遮断装置の構成を示す回路図である。
【図２】この発明による実施の形態１における転流式遮断装置の小電流遮断時での動作タイミングと電流、電圧波形を示す時間チャート図である。
【図３】この発明による実施の形態１における転流式遮断装置での遮断電流の大きさとスイッチの動作タイミングとの関係を示す線図である。
【図４】この発明による実施の形態２における転流式遮断装置の構成を示す回路図である。
【図５】この発明による実施の形態３における転流式遮断装置での遮断電流の大きさとスイッチの動作タイミングとの関係を示す線図である。
【図６】この発明による実施の形態４における転流式遮断装置での遮断電流の大きさとスイッチの動作タイミングとの関係を示す線図である。
【図７】この発明による実施の形態５における転流式遮断装置での電流、電圧波形を示す時間チャート図である。
【符号の説明】
【００３９】
１  主真空スイッチ、２  転流コンデンサ、３  転流リアクトル、４  転流スイッチ、５  転流回路、６  非線形抵抗器、７，７’  第２の真空スイッチ、８  電流検出器、９  操作制御装置、１０  直流電源、１１  負荷。
【図１】
2005078950.tif 000003
【図２】
2005078950.tif 000004
【図３】
2005078950.tif 000005
【図４】
2005078950.tif 000006
【図５】
2005078950.tif 000007
【図６】
2005078950.tif 000008
【図７】
2005078950.tif 000009